(57)【要約】【課題】簡単な操作で映像の一部を表示装置に出力することのできる映像再生装置及びその制御方法を提供する。【解決手段】本発明の映像再生装置は、映像コンテンツを選択するために操作されるキーと、前記キーの操作により選択された映像コンテンツを表示装置に出力する出力手段と、を備え、前記映像コンテンツが全体映像と前記全体映像の一部の領域を表す領域情報とを含む映像コンテンツであり、かつ、前記全体映像が表示装置に出力されている状態で前記キーが操作された場合に、前記出力手段は、表示装置に出力する映像を前記全体映像から前記領域情報で表される領域の映像である部分映像に切り替えることを特徴とする。【選択図】図１
2010226471.tif 000002
【特許請求の範囲】
【請求項１】
映像コンテンツを選択するために操作されるキーと、
前記キーの操作により選択された映像コンテンツを表示装置に出力する出力手段と、を備え、
前記映像コンテンツが全体映像と前記全体映像の一部の領域を表す領域情報とを含む映像コンテンツであり、かつ、前記全体映像が表示装置に出力されている状態で前記キーが操作された場合に、前記出力手段は、表示装置に出力する映像を前記全体映像から前記領域情報で表される領域の映像である部分映像に切り替える
ことを特徴とする映像再生装置。
【請求項２】
前記映像コンテンツは、複数の前記領域情報を含み、
前記出力手段は、
前記部分映像が表示装置に出力されている状態で前記キーが操作される度に、前記複数の領域情報にそれぞれ対応する複数の部分映像を次々に表示装置に出力し、
前記部分映像が表示装置に出力されている状態で前記キーが繰り返し操作されることによって前記複数の部分映像の全てが表示装置に出力された後、前記キーが次いで操作された場合には、前記全体映像または他の映像コンテンツの映像を表示装置に出力する
ことを特徴とする請求項１に記載の映像再生装置。
【請求項３】
前記出力手段は、
表示装置に出力する映像を部分映像から他の部分映像に切り替える場合に、現在出力中の部分映像の領域との位置関係に応じて、前記キーが繰り返し操作されることによって現在までに表示装置に出力された部分映像以外の部分映像の中から表示装置に出力する部分映像を決定する
ことを特徴とする請求項２に記載の映像再生装置。
【請求項４】
前記出力手段は、
表示装置に出力する映像を部分映像から他の部分映像に切り替える場合に、前記キーが繰り返し操作されることによって現在までに表示装置に出力された部分映像以外の部分映像のうち、領域が現在出力中の映像の領域に最も近い部分映像を表示装置に出力する
ことを特徴とする請求項３に記載の映像再生装置。
【請求項５】
前記映像コンテンツは、領域の解像度が互いに異なる複数の領域情報を含み、
前記出力手段は、
表示装置に出力する映像を前記部分映像に切り替える場合に、前記複数の領域情報の内、領域の解像度が表示装置の表示可能な最大解像度と一致する領域情報に対応する部分映像へ切り替える
ことを特徴とする請求項１〜４のいずれか１項に記載の映像再生装置。
【請求項６】
前記出力手段は、
前記キーの操作によって前記映像コンテンツが選択されたときに、最初に前記映像コンテンツの全体映像を表示装置に出力する
ことを特徴とする請求項１〜５のいずれか１項に記載の映像再生装置。
【請求項７】
前記映像コンテンツは、複数の前記領域情報を含み、
前記複数の領域情報は、それぞれ、識別可能な名称を含み、
前記出力手段は、前記複数の領域情報の総数および／または前記領域情報毎の名称を示す領域情報映像を更に表示装置に出力し、
前記領域情報映像において、前記領域情報毎の名称が示されている場合には、少なくと
も現在出力中の部分映像に対応する名称が識別可能に示されている
ことを特徴とする請求項１〜６のいずれか１項に記載の映像再生装置。
【請求項８】
前記映像コンテンツは、複数の前記領域情報を含み、
前記出力手段は、前記複数の領域情報で表される領域の前記全体映像に対する位置及び解像度を表す領域映像を更に表示装置に出力し、
前記領域映像において、少なくとも、現在出力中の映像の領域、及び、次に前記キーが操作されたときに出力される映像の領域が識別可能に示されている
ことを特徴とする請求項１〜７のいずれか１項に記載の映像再生装置。
【請求項９】
キーの操作に応じて映像コンテンツを選択するステップと、
選択された映像コンテンツを表示装置に出力するステップと、
前記映像コンテンツが全体映像と前記全体映像の一部の領域を表す領域情報とを含む映像コンテンツであり、かつ、前記全体映像が表示装置に出力されている状態で前記キーが操作された場合に、表示装置に出力する映像を前記全体映像から前記領域情報で表される領域の映像である部分映像に切り替えるステップと、
を有することを特徴とする映像再生装置の制御方法。
【発明の詳細な説明】
【技術分野】
【０００１】
本発明は、映像再生装置及びその制御方法に関する。
【背景技術】
【０００２】
デジタル放送では、解像度が２ｋ×１ｋ（１９２０×１０２４）のハイビジョン（ＨＤ）映像を含む映像コンテンツ（番組）を放送するのが一般的である。また、デジタル放送では、１つのＨＤ映像コンテンツ（ＨＤ映像を含む映像コンテンツ）を放送する形態の他に、３つの映像コンテンツを１つのトランスポートストリーム（ＴＳ）で放送する形態がある。３つの映像コンテンツは、それぞれ標準解像度（ＳＤ解像度）の映像を含み、それらの映像は、例えば、互いに内容の異なる映像や、互いに同一内容で視点の異なる映像などである。
【０００３】
１つのＴＳ内に複数の映像コンテンツが存在する場合に、それらの映像コンテンツのいずれかを選択して表示するための従来技術は、例えば、特許文献２に開示されている。具体的には、特許文献２には、選局中のチャンネルと同一のチャンネルを選局するための信号（選局信号）が入力されたとき、表示を、同一ＴＳ内の他の映像コンテンツに切り替える技術が開示されている。
【０００４】
一方、高度衛星デジタル放送では、より高解像度の映像や２２．２チャンネルのマルチチャンネル音声を含む映像コンテンツを放送することが検討されている。高解像度の映像は、例えば、４ｋ×２ｋのデジタルシネマ映像や、８ｋ×４ｋのスーパーハイビジョン（ＳＨＶ）映像などである。
【０００５】
また、高度衛星デジタル放送では、受信装置（映像再生装置）の能力や機能に応じた方法で、ＳＨＶ映像コンテンツ（ＳＨＶ映像を含む映像コンテンツ）を視聴することが検討されている。例えば、全体の映像（全体映像）をダウンコンバートして視聴したり、ＳＨＶ映像の一部の領域を受信機側で切り出して視聴（トリミング視聴）したりする形態が検討されている。当該一部の領域は、例えば、映像コンテンツの制作者や放送局が指定した領域（代表領域）や、ある特定のテーマに応じた領域である。
【先行技術文献】
【特許文献】
【０００６】
【特許文献１】特開２００２−４４５３７号公報
【特許文献２】特開２００３−３１９２７４号公報
【発明の概要】
【発明が解決しようとする課題】
【０００７】
しかしながら、従来は１つの映像コンテンツの全体映像を表示することが基本であったため、トリミング視聴を行うための方法が無かった。トリミング視聴を行う方法として、例えば、ユーザが、所望のチャンネル（映像コンテンツ）を選択した後に、さらに映像内の一部の領域（ユーザが視聴したい領域）を選択する方法が考えられる。しかしながら、そのような方法でトリミング視聴を行うと、ユーザの操作する回数が増えてしまうため、好ましくない。
【０００８】
そこで、本発明は、簡単な操作で映像の一部を表示装置に出力することのできる映像再生装置及びその制御方法を提供することを目的とする。
【課題を解決するための手段】
【０００９】
上述した課題を解決するために、本発明の映像再生装置は、映像コンテンツを選択するために操作されるキーと、前記キーの操作により選択された映像コンテンツを表示装置に出力する出力手段と、を備え、前記映像コンテンツが全体映像と前記全体映像の一部の領域を表す領域情報とを含む映像コンテンツであり、かつ、前記全体映像が表示装置に出力されている状態で前記キーが操作された場合に、前記出力手段は、表示装置に出力する映像を前記全体映像から前記領域情報で表される領域の映像である部分映像に切り替えることを特徴とする。
【００１０】
また、本発明の映像再生装置の制御方法は、キーの操作に応じて映像コンテンツを選択するステップと、選択された映像コンテンツを表示装置に出力するステップと、前記映像コンテンツが全体映像と前記全体映像の一部の領域を表す領域情報とを含む映像コンテンツであり、かつ、前記全体映像が表示装置に出力されている状態で前記キーが操作された場合に、表示装置に出力する映像を前記全体映像から前記領域情報で表される領域の映像である部分映像に切り替えるステップと、を有することを特徴とする。
【発明の効果】
【００１１】
本発明によれば、簡単な操作で映像の一部を表示装置に出力することのできる映像再生装置及びその制御方法を提供することができる。
【図面の簡単な説明】
【００１２】
【図１】本実施形態に係る映像再生装置の機能構成を示すブロック図。
【図２】領域情報を抽出する際の処理の流れ示す図。
【図３】コンポーネント記述子のデータ構造を示す図。
【図４】コンポーネント記述子内をより詳細に示す図。
【図５】拡張形式イベント記述子のデータ構造を示す図。
【図６】領域情報を示す図。
【図７】領域情報によって表される領域を示す図。
【図８】解像度が互いに異なる領域間の関係を示す図。
【図９】実施例１において表示装置に出力される映像の遷移を示す図。
【図１０】ワンタッチキーが操作されたときの処理の流れを示す図。
【図１１】ワンタッチキーが操作されたときの処理の流れを示す図。
【図１２】実施例３において表示装置に出力される映像の遷移を示す図。
【図１３】アップダウンキーが操作されたときの処理の流れを示す図。
【図１４】領域情報映像を示す図。
【図１５】領域映像を示す図。
【発明を実施するための形態】
【００１３】
以下、図を参照しながら、本発明の実施形態に係る映像再生装置（及びその制御方法）の具体的な実施例について説明する。なお、以下の説明では、トリミング視聴可能なＳＨＶ放送の番組（ＳＨＶ映像を含む映像コンテンツ；ＳＨＶ番組）を表示装置でトリミング視聴する場合について説明する。具体的には、実施例１，２では、ユーザがワンタッチキー（所定のチャンネルを選局するチャンネルキー）を操作することにより、ＳＨＶ映像の一部が表示装置に出力される。実施例３では、ユーザがアップダウンキー（選局するチャンネルを順次切り替えるチャンネルキー）を操作することにより、ＳＨＶ映像の一部が表示装置に出力される。
【００１４】
＜実施例１＞
図１は本実施例に係る映像再生装置の機能構成を示すブロック図である。本実施例に係る映像再生装置は、アンテナ１０１から映像コンテンツを取得し、表示部１１１、スピー
カ１１３に、それぞれ、映像（映像データ）および音声（音声データ）を出力する。
【００１５】
アンテナ１０１は、映像データ、音声データ、メタデータなどが多重化され、且つ、デジタル変調された複数の放送信号（デジタルテレビジョン放送信号；デジタル放送番組；映像コンテンツ）を受信する。映像データは、全体映像（全体の映像）を表すデータであり、例えば、「７６８０×４３２０／６０／Ｐ」であり、且つ、「領域情報あり（トリミング指定あり）」、という映像フォーマットを有する。「７６８０×４３２０／６０／Ｐ」とは、解像度（横×縦）が７６８０×４３２０ピクセルであり、フレームレートが６０Ｈｚ、信号の方式がプログレッシブ方式であることを意味する。領域情報は、全体映像の一部の領域を表す情報（例えば、領域の位置や解像度など）である。音声データの音声モードは、例えば、２２．２ｃｈのマルチチャンネルステレオである。
【００１６】
受信部１０２は、アンテナ１０１で受信された複数の放送信号の内、選局されたチャンネルで放送されている放送信号を取得する。そして、放送信号の復調、誤り訂正処理などを行い、ＭＰＥＧ−２  ＴＳ（Ｔｒａｎｓｐｏｒｔ  Ｓｔｒｅａｍ）信号を生成し、出力する。
信号分離部１０３は、放送信号（放送番組）のパケットＩＤに従って、多重化されたＭＰＥＧ−２  ＴＳ信号を映像データ、音声データ、メタデータに分離する。そして、映像データ、音声データ、メタデータをそれぞれ映像再生部１０４、音声再生部１０５、メタデータ処理部１０６に送る。なお、多重化されたＭＰＥＧ−２  ＴＳ信号がデータ放送（マルチメディア）データを含む場合もあるが、図１ではその処理部については図示していない。
【００１７】
映像再生部１０４は、ＩＴＵ−Ｔ  Ｈ．２６４｜ＩＳＯ／ＩＥＣ１４４９６−１０（ＭＰＥＧ−４  ＡＶＣ）（以下、Ｈ．２６４）で符号化された映像データを復号する。
音声再生部１０５は、ＭＰＥＧ−２  ＡＡＣで符号化された音声データを復号する。音声データの音声モードがマルチチャンネルステレオの場合（音声データがマルチチャンネルの音声データである場合）には、各チャンネルの音声データを、合成せずに、それぞれ個別に音声出力制御部１１２に送る。
【００１８】
メタデータ処理部１０６は、メタデータに含まれるＰＳＩ（Ｐｒｏｇｒａｍ  Ｓｐｅｃｉｆｉｃ  Ｉｎｆｏｒｍａｔｉｏｎ）データもしくはＳＩ（Ｓｅｒｖｉｃｅ  Ｉｎｆｏｒｍａｔｉｏｎ）データから種々の情報を取得する。具体的には、信号分離部１０３でＭＰＥＧ２−ＴＳ信号をフィルタリング処理するための情報、電子番組表などに利用される番組情報を取得する。さらに、本実施例では、コンポーネント種別（映像フォーマット）を表す種別情報および領域情報を取得する。それらの情報は、トリミング領域抽出部１０７や解像度変換部１０８などに送られる。なお、本実施例では映像コンテンツが複数の領域情報を含むものとする。また、通常、放送局からは１つの映像コンテンツを様々な表示装置でトリミング視聴するために、解像度（トリミングサイズ）が互いに異なる複数の領域について領域情報（トリミング領域情報）が送られる（図６）。本実施例では、メタデータ処理部１０６は、表示装置（表示部１１１）で表示可能な最大解像度（本実施例ではＨＤ映像の解像度（ＨＤ解像度））と一致する領域を表す領域情報のみをトリミング領域抽出部１０７に送るものとする。
【００１９】
トリミング領域抽出部１０７は、メタデータ処理部１０６にて取得（抽出）された領域情報に基づいて、部分映像を映像出力制御部１０９に送る。部分映像は、映像再生部１０４から入力される全体映像（ＳＨＶ映像）から切り出された、領域情報で表される領域の映像（ＨＤ映像）である。なお、映像コンテンツに複数の領域情報が含まれている場合には、１つ以上の部分映像が映像出力制御部１０９に送られる。
解像度変換部１０８は、映像再生部１０４から入力される全体映像（ＳＨＶ映像）の解
像度をＨＤ解像度にダウンコンバートし、ダウンコンバートした全体映像（ダウンコンバート映像）を映像出力制御部１０９に送る。
【００２０】
映像出力制御部１０９は、キー入力判定部１１０から送られる情報に基づき、解像度変換部１０８から入力される全体映像またはトリミング領域抽出部１０７から入力される部分映像のいずれかを選択する。そして、選択した映像を表示部１１１に送る（出力する）。
キー入力判定部１１０は、ユーザ入力部１１７から送られる情報に基づき、ユーザがどのキーを操作したのか（ユーザがどのキーを押下したのか）を判定する。
【００２１】
表示部１１１は、電子放出素子を有する表示装置、液晶ディスプレイ、プラズマディスプレイ、有機ＥＬディスプレイなどの表示装置である。本実施例では、表示部１１１の最大解像度をＨＤ解像度（１９２０×１０８０）とする。
【００２２】
音声出力制御部１１２は、音声再生部１０５から入力される音声データに基づき、ゲインや遅延量の調整を行う。また、必要に応じてダウンミックス合成処理を行う。そして、それらの処理がなされた音声データをスピーカ１１３に出力する。
【００２３】
制御部１１４は、内部バス１１６を介して各機能ブロックを制御することにより、本実施例に係る映像再生装置の動作を制御する。例えば、キーの操作により選択された映像コンテンツを表示装置に出力する（即ち、キー入力判定部１１０の判定結果に応じたチャンネルを選局する）ように受信部１０２を制御する。制御部１１４は、主にマイクロプロセッサにより構成される。
記憶部１１５は、本実施例に係る映像再生装置の動作プログラムを格納するＲＯＭ（Ｒｅａｄ  Ｏｎｌｙ  Ｍｅｍｏｒｙ）、上記動作プログラムに従って種々の処理を行うために必要となるＲＡＭ（Ｒａｎｄｏｍ  Ａｃｃｅｓｓ  Ｍｅｍｏｒｙ）などのメモリである。
ユーザ入力部１１７は、不図示のリモコンもしくは映像再生装置本体に設けられたキーであり、映像コンテンツを選択するために操作される。ユーザ入力部１１７の操作に応じて、信号が制御部１１４に送られ、表示装置に出力する映像コンテンツ（本実施例では選局するチャンネル）が選択される。本実施例では、ユーザ入力部１１７がワンタッチキーであるものとする。
【００２４】
次に、メタデータ処理部１０６で抽出される種別情報、領域情報について図３〜６を用いて説明する。デジタル放送の規格として、（社）電波産業会の発行する「デジタル放送に使用する番組配列情報」の標準規格（ＡＲＩＢ  ＳＴＤ−Ｂ１０）がある。ＡＲＩＢ  ＳＴＤ−Ｂ１０によれば、デジタル放送において、映像、音声、番組に関する種々の情報をＰＳＩ／ＳＩデータ内に各種テーブルとして埋め込み、送出することができる。
【００２５】
本実施例では、ＰＭＴ（Ｐｒｏｇｒａｍ  Ｍａｐ  Ｔａｂｌｅ）もしくは、番組名、放送日時、番組内容など番組に関する情報を送るＥＩＴ（Ｅｖｅｎｔ  Ｉｎｆｏｒｍａｔｉｏｎ  Ｔａｂｌｅ）にて送出可能なコンポーネント記述子（図３）のコンポーネント種別（ｃｏｍｐｏｎｅｎｔ＿ｔｙｐｅ）を用いて、種別情報を伝送する。例えば、全体映像がＳＨＶ映像（７６８０×４３２０／６０／Ｐの映像）であること、および、放送局側が指定する領域情報があることを伝送する。コンポーネント種別は８ビットのフィールドを有しており、コンポーネント種別により映像フォーマット（映像コンポーネントの種別）だけでなく、音声モード（音声コンポーネントの種別）も伝送することができる。
【００２６】
図４は、コンポーネント記述子内をより詳細に示す図である。コンポーネント種別が０ｘ００から０ｘＣ０までは、現在規格化されている映像コンポーネントを示している。本
実施例では、ＨＤ映像より高解像度の映像（映像ストリーム）を想定しており、そのような映像のコンポーネント種別は現在規定されていない。本実施例では、全体映像がＳＨＶ映像であることを示すコンポーネント種別として、０ｘＦ１、０ｘＦ２を割り当てている。
【００２７】
コンポーネント種別が「領域情報あり（トリミング指定あり）」という映像フォーマットの場合には、さらに領域情報が伝送される。領域情報はＥＩＴなどに挿入される拡張形式イベント記述子などを用いて伝送することができる。拡張形式イベント記述子は、図５のようなデータ構造を有しており、ｉｔｅｍ＿ｄｅｓｃｒｉｐｔｉｏｎ＿ｃｈａｒの１つとして領域情報を追加する。図６に示すように、ｉｔｅｍ＿ｄｅｓｃｒｉｐｔｉｏｎ＿ｃｈａｒでは、１つの映像コンテンツ（番組）における領域情報が定義されている。具体的には、領域情報で表される領域（トリミング領域）ごとにＩＤ（トリミングＩＤ）、領域名（トリミング領域名）、解像度（サイズ；トリミングサイズ）、位置（左上ＸＹアドレス）などの情報種別が定義されている。そして、ｉｔｅｍ＿ｃｈａｒにてそれら情報種別の値がテキスト情報として送られる。なお、本実施例では領域の位置を、左上の座標で定義しているが、右上の座標で定義してもよいし、領域の中心座標で定義してもよい。位置を特定できればどのように定義してもよい。
【００２８】
次に、領域情報を抽出する際の処理の流れについて、図２を用いて説明する。ステップＳ２０２では、メタデータ処理部１０６が、ＰＭＴのコンポーネント記述子から、種別情報を抽出する。次に、制御部１１４が、抽出された種別情報を用いて、受信している番組の映像がＳＨＶ映像であるか否かを判定する（ステップＳ２０３）。受信している番組の映像がＳＨＶ映像である場合には（ステップＳ２０３：ＹＥＳ）、ステップＳ２０５へ進む。受信している番組の映像がＳＨＶ映像でない場合には（ステップＳ２０３：ＮＯ）、メタデータ処理部１０６が、その種別情報を解像度変換部１０８と映像出力制御部１０９に送る。例えば、コンポーネント種別が０ｘＢ２である場合には、映像がＨＤ映像であること（図４）が解像度変換部１０８と映像出力制御部１０９に送られる。そして、解像度変換部１０８と映像出力制御部１０９により、全体映像がダウンコンバートされ表示装置に出力される（ステップＳ２０４）。
【００２９】
ステップＳ２０５では、制御部１１４が、メタデータ処理部１０６が抽出した種別情報を用いて、番組が放送局側が指定する領域情報を含むか否か（「トリミング指定あり」の番組か否か）を判定する。番組が領域情報を含む場合（「トリミング指定あり」の番組の場合、例えば、コンポーネント種別が０ｘＦ２であった場合（図４））には（ステップＳ２０５：ＹＥＳ）、ステップＳ２０６に進む。番組が領域情報を含まない場合（「トリミング指定なし」の番組の場合）には（ステップＳ２０５：ＮＯ）、ステップＳ２０４に進み、全体映像がダウンコンバートされ表示装置に出力される。
【００３０】
ステップＳ２０６では、メタデータ処理部１０６が、ＥＭＴの拡張形式イベント記述子から、領域情報を抽出する。本実施例では、拡張形式イベント記述子内に図６に示すような領域情報が記述されているものとする。そのため、本工程では、ＩＤが“００”、“０１”、“０２”、“１０”、“２０”の５つの領域情報が抽出される。
【００３１】
ステップＳ２０７では、制御部１１４が、抽出された領域情報の中に、解像度が表示部１１１の最大解像度（ＨＤ解像度：１９２０×１０８０）と等しい領域を表す領域情報があるか否かを判定する。解像度が表示部１１１の最大解像度と等しい領域を表す領域情報がある場合には（ステップＳ２０７：ＹＥＳ）、ステップＳ２０８へ進む。解像度が表示部１１１の最大解像度と等しい領域を表す領域情報がない場合には（ステップＳ２０７：ＮＯ）、ステップＳ２０４へ進み、全体映像がダウンコンバートされ表示装置に出力される。なお、表示部１１１の最大解像度を表す情報は、あらかじめ制御部１１４、記憶部１
１５などに格納されていてもよいし、表示部１１１から必要に応じて取得してもよい。
【００３２】
ステップＳ２０８では、メタデータ処理部１０６が、解像度が表示部１１１の最大解像度と等しい領域を表す領域情報を、制御部１１４、記憶部１１５、トリミング領域抽出部１０７などに出力する。本実施例では、図６に示すように、ＩＤが“００”、“０１”、“０２”である領域情報で表される領域の解像度が表示部１１１の最大解像度と一致する。そのため、それらの領域情報が制御部１１４、記憶部１１５、トリミング領域抽出部１０７などに出力される。
【００３３】
このように、本実施例では、解像度が表示部１１１の最大解像度と等しい領域を表す領域情報のみが、制御部１１４、記憶部１１５、トリミング領域抽出部１０７などに出力される。それにより、表示装置に出力する映像を部分映像に切り替える場合に、番組に含まれる複数の領域情報の内、領域の解像度が表示装置の表示可能な最大解像度と一致する領域情報に対応する部分映像へ切り替えられる。そのため、ユーザは、部分映像として、表示装置に適した解像度の部分映像のみを視聴することができる。なお、表示装置に出力する映像を切り替える際の処理などについては後で詳しく説明する。
【００３４】
なお、映像コンテンツ（番組）の種類によっては、領域情報（位置情報など）をＥＩＴの送出周期よりも短い周期で送りたい場合がある。そのような場合には、ＥＩＴに比べて送出周期が短いＰＭＴ（Ｐｒｏｇｒａｍ  Ｍａｐ  Ｔａｂｌｅ）で送出される記述子を拡張したり、領域情報を記述するための新たな記述子を追加したりすればよい。
【００３５】
図７，８は、領域情報によって表される領域の一例を示す図である。図７，８は、図６の領域情報によって表される領域を示している。ＩＤ“００”、“０１”、“０２”の領域情報は、それぞれ、解像度がＨＤ解像度である３つの領域１〜３を表す。ＩＤ“１０”の領域情報は、解像度がＳＤ解像度である領域４を表す。ＩＤ“２０”の領域情報は、解像度がモバイル向けワイドＱＶＧＡ（４２７×２４０）である領域５を表す。
【００３６】
図７において、領域１は、例えば、ＳＨＶ映像の番組をＨＤ解像度の表示装置で視聴する場合の標準的な領域である。具体的には、番組がスポーツ番組（サッカーの試合など）である場合には、ボールの位置などを捉えた領域であり、ボールの位置に連動して動く領域である。領域２，３は、例えば、ある特定の嗜好をもったユーザ向けの領域である。具体的には、番組がサッカーの試合などである場合には、一方のチームに注目するのに適した領域である。
【００３７】
図８は、領域１，４，５の関係を示す図である。領域４，５は、それぞれ、ＳＨＶ映像の番組をＳＤ解像度、ワイドＱＶＧＡの表示装置で視聴する場合の標準的な領域である。そのため、領域１，４，５の中心位置はほぼ等しく、解像度のみが互いに異なる。
【００３８】
次に、ユーザが１つのワンタッチキーを繰り返し操作したときに表示装置に出力される映像の遷移について、図９を用いて説明する。図９（ｂ）は、図９（ａ）に示すような領域１〜３を表す領域情報を含むＳＨＶ番組を選択するために操作されるワンタッチキーが繰り返し操作されたときに表示装置に出力される映像の遷移を示す。なお、図９に示すＳＨＶ番組はチャンネルＡ（ＣＨ＿Ａ）で放送されているものとする。
【００３９】
本実施例では、キーの操作によって領域情報を含むＳＨＶ番組（映像コンテンツ）が選択されたときに、最初に当該ＳＨＶ番組の全体映像を表示装置に出力する。即ち、ユーザがワンタッチキーを操作することにより、最初にＣＨ＿Ａが選局されたときには、映像出力制御部１０９はＣＨ＿Ａで放送されているＳＨＶ番組の全体映像をダウンコンバートして表示部１１１に出力する（Ｄ１１）。
【００４０】
次いで（全体映像が表示装置に出力されている状態で）同じキーが操作された場合には、映像出力制御部１０９は表示装置に出力する映像を全体映像から部分映像に切り替える。本実施例ではメタデータ処理部１０６から出力された領域情報の内、ＩＤの値が最も小さい領域情報（図６の例ではＩＤ“００”の領域情報）に対応する部分映像（領域１の映像）を切り出して表示部１１１に出力する（Ｄ１２）。
【００４１】
次いで同じキーが操作される度に、映像出力制御部１０９は表示部１１１に出力する映像を領域２の映像、領域３の映像に順次切り替える（Ｄ１３，Ｄ１４）。即ち、部分映像が表示装置に出力されている状態で同じキーが操作される度に、メタデータ処理部１０６から出力された複数の領域情報にそれぞれ対応する複数の部分映像（表示すべき部分映像）が次々に表示装置に出力される。
【００４２】
次いで同じキーが操作された場合には、映像出力制御部１０９は表示部１１１に出力する映像を部分映像からダウンコンバートされた全体映像に切り替える（Ｄ１１に戻る）。即ち、部分映像が表示装置に出力されている状態で上記キーが繰り返し操作されることによって上記複数の部分映像の全てが表示装置に出力された後、同じきーが次いで操作された場合には、全体映像が表示装置に出力される。
このように、本実施例では、１つのワンタッチキーが操作（押下）されるたびに、ダウンコンバートされた全体映像及び複数の部分映像とが順次切り替えられて表示部１１１に出力される。
【００４３】
次に、ユーザによりワンタッチキー（例えばそれぞれ所定のチャンネル（１〜１２などの数字）が対応付けられたキー）が操作されたときの本実施例に係る映像処置装置の動作について図１０を用いて説明する。
まず、ユーザによりワンタッチキーが操作されると、制御部１１４が当該操作による情報（操作情報）を取得する（ステップＳ１００２）。
【００４４】
そして、キー入力判定部１１０が、ステップＳ１００２で取得された情報に基づいて、ユーザがどのキーを操作したのかを判定する（ステップＳ１００３）。判定されたキーに対応するチャンネル（ＣＨ）、即ち、ユーザによって選択されたチャンネルが、現在選局中のチャンネルと異なる場合には（ステップＳ１００３：ＮＯ）、ステップＳ１００４に進む。ステップＳ１００４では、制御部１１４が受信部１０２に選局するチャンネルを上記選択されたチャンネルに切り替えるように指示する。そして、解像度変換部１０８が選局しているチャンネルで放送中の番組（選局番組）の全体映像をダウンコンバートし、映像出力制御部１０９が当該ダウンコンバートされた全体映像を表示部１１１に出力する。それにより、当該全体映像が表示部１１１で表示される。
【００４５】
ステップＳ１００３において、判定されたキーに対応するチャンネルが、現在選局中のチャンネルと同一である場合には（ステップＳ１００３：ＹＥＳ）、ステップＳ１００５に進む。ステップＳ１００５では、制御部１１４が、選局番組から抽出された種別情報を用いて、選局番組がトリミング視聴可能な番組であるか否か（領域情報を含むか否か）を判定する。番組が領域情報を含まない番組であった場合は（ステップＳ１００５：ＮＯ）、ステップＳ１０１０に進む。ステップＳ１０１０では、選局番組の全体映像が表示部１１１で表示される（即ち、ユーザがワンタッチキーを操作する前と同じ映像が表示される）。
【００４６】
ステップＳ１００５において、番組が領域情報を含む番組であった場合は（ステップＳ１００５：ＹＥＳ）、ステップＳ１００６に進む。ステップＳ１００６では、制御部１１４が、現在の表示映像（表示部１１１に出力されている映像）がダウンコンバートされた
全体映像なのか部分映像なのかを判定する。全体映像が表示されている場合には（ステップＳ１００６：ＹＥＳ）、ステップＳ１００７へ進む。ステップＳ１００７では、映像出力制御部１０９がトリミング領域抽出部１０７から入力される領域１（ＩＤ“００”）の映像を表示部１１１に出力する。
【００４７】
ステップＳ１００６において、部分映像が表示されている場合には（ステップＳ１００６：ＮＯ）、ステップＳ１００８へ進む。ステップＳ１００８では、制御部１１４が、現在表示中の部分映像に対応する領域情報が、メタデータ処理部１０６から出力された複数の領域情報の内、ＩＤの値が最大（図６の例ではＩＤ“０２”）の領域情報か否かを判定する。現在表示中の部分映像に対応する領域情報のＩＤの値が最大値でない場合は（ステップＳ１００８：ＮＯ）、ステップＳ１００９へ進む。ステップＳ１００９では、制御部１１４が、当該ＩＤの値に１を加算する。そして、映像出力制御部１０９が、当該１が加算されたＩＤの値の領域情報に対応する部分映像を表示部１１１へ出力する。現在表示中の部分映像に対応する領域情報のＩＤの値が最大値である場合は（ステップＳ１００８：ＹＥＳ）、ステップＳ１０１０に進み、ダウンコンバートされた全体映像が表示される。即ち、初めに選局したときに表示された映像に戻る。
【００４８】
本実施例によれば、ユーザが同一のワンタッチキーを続けて操作した場合に、全体映像及び複数の部分映像が順次切り替えられて出力される（例えば、出力する映像が全体映像から部分映像へ切り替えられる）。そのため、簡単な操作で映像の一部（部分映像）を表示装置に出力することができる。
【００４９】
なお、本実施例では、メタデータ処理部が、抽出された領域情報の中から、解像度が表示装置の最大解像度と一致する領域を表す領域情報を出力する構成としたが、メタデータ処理部の構成はこれに限定されない。例えば、抽出した領域情報を、全て出力してもよい。解像度が表示装置の最大解像度と一致しない領域を表す領域情報については、解像度が表示部の解像度と一致するように全体映像から部分映像を切り出してもよい。また、領域情報の抽出時に領域の解像度が表示装置の最大解像度と一致するように各領域情報を書き替えてもよい。
【００５０】
なお、本実施例では、映像コンテンツが複数の領域情報を含む場合について説明したが、映像コンテンツに含まれる領域情報は１つであってもよい。映像コンテンツに含まれる領域情報が１つであっても、ユーザが同じキーを繰り返し操作することにより全体映像と部分映像が切り替えられて表示装置に出力されるため、上述した作用効果が得られる。
【００５１】
なお、本実施例では、領域情報に解像度の情報が含まれる構成としたが、解像度の情報は他の方法で取得してもよい。例えば、図７に示すように領域の右下の座標（領域１の場合には（Ｘｅ１，Ｙｅ１））の情報が領域情報に含まれていれば、当該情報と領域の左上の座標（領域１では（Ｘｓ１，Ｙｓ１））の情報から解像度を得ることができる。具体的には、右下Ｘアドレスから左上Ｘアドレスを減算したものが、その領域のＸ方向の解像度となり、右下Ｙアドレスから左上Ｙアドレスを減算したものが、その領域のＹ方向の解像度となる。例えば、Ｘｅ１−Ｘｓ１、Ｙｅ１−Ｙｓ１が、それぞれ、領域１の横方向、縦方向の解像度となる。
【００５２】
＜実施例２＞
次に、実施例２に係る映像再生装置（及びその制御方法）について説明する。実施例１では、同一のワンタッチキーが続けて操作されたときに、ＩＤの値が小さい領域情報に対応する部分映像から順に表示した。しかし、そのような順番で切り替えると、視聴する領域の位置（全体映像内での位置）が大きく変わることがある。そのため、ユーザが、部分映像が全体映像のどの部分の映像なのかを瞬時に判断できなくなってしまう虞がある。
【００５３】
そこで、実施例２では、制御部１１４が、表示装置に出力する映像を部分映像から他の部分映像に切り替える場合に、現在出力中の部分映像の領域との位置関係に応じて、表示装置に出力する部分映像を決定する。例えば、制御部１１４と映像出力制御部１０９により、領域が現在出力中の映像の領域に最も近い部分映像が表示装置に出力される。また、上記切り替えのための操作（キーの操作）が続けて行われた場合には、同じキーが繰り返し操作されることによって現在までに表示装置に出力された部分映像以外の部分映像の中から表示装置に出力する部分映像を決定する。
【００５４】
以下、ユーザによりワンタッチキーが操作されたときの本実施例に係る映像処置装置の動作について図１１を用いて説明する。なお、実施例２に係る映像再生装置のブロック構成は、実施例１（図１）と同様のため、説明を省略する。
【００５５】
ステップＳ１１０１〜Ｓ１１０７、ステップＳ１１１０の処理は、それぞれ、図１０のステップＳ１００１〜Ｓ１００７、ステップＳ１０１０の処理と同様のため、説明を省略する。
ステップＳ１１０６において、部分映像が表示されている場合には（ステップＳ１１０６：ＮＯ）、ステップＳ１１０８へ進む。ステップＳ１１０８では、制御部１１４が、表示装置に出力する映像を部分映像から他の部分映像に切り替えるための操作が続けて行われたことにより、表示すべき部分映像が全て表示された否かを判定する。表示すべき部分映像（図７の例では領域１〜３の映像）が全て表示されていた場合は（ステップＳ１１０８：ＹＥＳ）、ステップＳ１１１０に進み、ダウンコンバートされた全体映像が表示される。
【００５６】
ステップＳ１１０８において、表示すべき部分映像の内、未表示の部分映像が存在する場合には（ステップＳ１１０８）、ステップＳ１１０９へ進む。ステップＳ１１０９では、制御部１１４が、未表示の部分映像のうち、現在表示中の部分映像の領域との距離が最も近い領域の部分映像を選択する。そして、映像出力制御部１０９が当該選択された部分映像を表示部１１１に出力する。
【００５７】
領域間の距離の比較は、制御部１１４が、メタデータ処理部１０６で抽出される領域情報（図６）を用いて行う。例えば、制御部１１４は、領域情報毎に、領域の左上の座標（左上Ｘアドレス、左上Ｙアドレス）及び領域の解像度（サイズ）から、中心座標を算出する。具体的には、左上Ｘアドレス、左上Ｙアドレスにそれぞれ領域の横方向、縦方向の解像度の１／２を加算し、それらを中心座標のＸアドレス、Ｙアドレスとする。そして、中心座標間の距離を算出し、比較する。
【００５８】
したがって、本実施例では、図７に示すような番組が放送されているチャンネルに対応するキーが続けて操作された場合に、全体映像→領域１の映像→領域３の映像→領域２の映像→全体映像→・・・の順で表示される。但し、各領域の位置は変動しうるため、必ずしも上述した順番で表示されるとは限らない。
本実施例によれば、領域が現在出力中の映像の領域に最も近い部分映像が表示装置に出力されるため、ユーザは、部分映像が全体映像のどの部分の映像なのかを容易に把握することができる。
【００５９】
なお、本実施例では、現在出力中の部分映像の領域に最も近い領域の部分映像を表示装置に出力するものとしたが、表示装置に出力する映像はこれに限らない。例えば、現在出力中の部分映像の領域よりも右側に位置する領域の部分映像を表示装置に出力してもよい。現在出力中の部分映像の領域との位置関係に応じて、表示装置に出力する部分映像を決定すれば、上記作用効果が得られる。
【００６０】
なお、本実施例では、複数の部分映像の中で、標準的な領域（ＩＤ“００”）の映像を最初に表示装置に出力するものとしたが、それ以外の部分映像を最初に出力してもよい。また、標準的な領域を表す領域情報の最下位ビットが“０”に設定されていれば、最下位ビットを確認することにより、複数の部分映像の中から標準的な領域の映像を選択し表示装置に出力することができる。
【００６１】
＜実施例３＞
次に、実施例３に係る映像再生装置（及びその制御方法）について説明する。なお、本実施例に係る映像再生装置のブロック構成は、実施例１，２（図１）と同様のため、説明を省略する。本実施例では、ユーザ入力部１１７がアップダウンキーであるものとする。
【００６２】
以下、ユーザがアップダウンキーを繰り返し操作したときに表示装置に出力される映像の遷移について、図１２を用いて説明する。図１２（ａ）は、チャンネルとそのチャンネルで放送されている番組の一例を示す図である。具体的には、図１２（ａ）は、チャンネル１〜４（図中、ＣＨ１〜４）で放送されている番組を示す。図１２（ａ）の例では、ＣＨ１ではＨＤ番組（ＨＤ映像を含む番組）、ＣＨ２ではトリミング視聴可能なＳＨＶ番組、ＣＨ３ではＨＤ番組、ＣＨ４ではトリミング視聴できないＳＨＶ番組が放送されている。
図１２（ｂ）は、図１２（ａ）のような番組が放送されている場合に、アップキーもしくはダウンキーが繰り返し操作されたときに表示装置に出力される映像の遷移を示す。以下、詳しく説明する。
【００６３】
ＣＨ１のＨＤ番組を視聴している状態（Ｄ２１）でアップキーが操作された場合には、ＣＨ２に移動し（ＣＨ２が選局され）、ＣＨ２で放送中の番組の全体映像がダウンコンバートされ表示装置に出力される（Ｄ２２）。
次いでアップキーが操作された場合には、ＣＨ２の領域１の部分映像が表示装置に出力される（Ｄ２３）。以降、アップキーが操作されるたびに、ＣＨ２の領域２の部分映像、領域３の部分映像のようにＩＤの値が小さい領域情報に対応する部分映像から順に出力される（Ｄ２４、Ｄ２５）。
ＣＨ２の領域３（ＩＤの値が最大値である領域）を出力している状態（Ｄ２５）で、さらにアップキーが操作された場合には、ＣＨ３に移動し、ＣＨ３で放送中の番組の全体映像が出力される（Ｄ２７）。
次いでアップキーが操作された場合には、ＣＨ４に移動し、ＣＨ４で放送中の番組の全体映像がＨＤ解像度にダウンコンバートされ、出力される（Ｄ２８）。
【００６４】
一方、ＣＨ４の全体映像を視聴している状態（Ｄ２８）から上向きの矢印は、ダウンキーが繰り返し操作されたときに表示装置に出力される映像の遷移を示している。基本的にはアップキーが繰り返し操作されたときの映像の遷移の逆となる。但し、Ｄ２７からＤ２６へ移動するように、トリミング視聴可能なＳＨＶ番組のチャンネルに初めて移動するとき（そのようなチャンネルを最初に選局するとき）には、全体映像がダウンコンバートされ、出力される。これは、アップキーが繰り返し操作されたときのＤ２１からＤ２２間の遷移に相当する。
即ち、本実施例では、アップキーやダウンキーが繰り返し操作されることによって複数の部分映像の全てが表示装置に出力された後、同じキーが次いで行われた場合には、他の映像コンテンツが表示装置に出力される。
【００６５】
上述した映像の遷移は、制御部１１４がキー入力判定部１１０、メタデータ処理部１０６、解像度変換部１０８、トリミング領域抽出部１０７、映像出力制御部１０９などを制御することにより実現される。具体的には、キー入力判定部１１０が操作されたキーを判
定し、メタデータ処理部１０６が選局番組のコンポーネント種別および領域情報を抽出する。それらの情報に基づいて、解像度変換部１０８がダウンコンバートされた全体映像を生成し、トリミング領域抽出部１０７が部分映像を生成する。そして、映像出力制御部１０９が表示装置に出力する映像を切り替える。
【００６６】
次に、ユーザによりアップダウンキーが操作されたときの本実施例に係る映像処理装置の動作について図１３を用いて説明する。
まず、ユーザによりアップダウンキーが操作されると、制御部１１４が当該操作による情報を取得する（ステップＳ１３０２）。
【００６７】
そして、キー入力判定部１１０が、ステップＳ１３０２で取得された情報に基づいて、ユーザがアップキーを操作したのかダウンキーを操作したのかを判定する（ステップＳ１３０３）。ユーザによりアップキーが操作された場合には（ステップＳ１３０３：ＹＥＳ）、ステップＳ１３０４に進む。
【００６８】
ステップＳ１３０４では、制御部１１４が、上記キーの操作によって選局されたチャンネルで放送されている番組から抽出された種別情報を用いて、当該番組がトリミング視聴可能な番組であるか否かを判定する。番組が領域情報を含まない番組であった場合は（ステップＳ１３０４：ＮＯ）、ステップＳ１３０５に進む。ステップＳ１３０５では、受信部１０２が、視聴可能な番組が放送されているチャンネルのうち、チャンネルの番号が現在選局されているチャンネルの番号の１つ上のチャンネルを選局する。そして、選局番組の全体映像が表示装置に出力される（全体映像は必要に応じてダウンコンバートされる）。
【００６９】
ステップＳ１３０４において、番組が領域情報を含む番組であった場合は（ステップＳ１３０４：ＹＥＳ）、ステップＳ１３０６に進む。ステップＳ１３０６〜Ｓ１３０９の処理は、それぞれ、図１０のステップＳ１００６〜Ｓ１００９の処理と同様のため、説明を省略する。
【００７０】
ステップＳ１３０８において、現在表示中の部分映像に対応する領域情報のＩＤの値が最大値である場合は（ステップＳ１３０８：ＹＥＳ）、ステップＳ１３１０に進む。ステップＳ１３１０では、ステップＳ１３０５と同様に、チャンネルの番号が現在選局されているチャンネルの番号の１つ上のチャンネルが選局され、選局番組の全体映像が表示装置に出力される。以上が、ユーザによりアップキーが操作された場合の処理である。
【００７１】
ステップＳ１３０３において、ユーザによりダウンキーが操作された場合には（ステップＳ１３０３：ＮＯ）、ステップＳ１３１１に進む。ステップＳ１３１１〜Ｓ１３１７の処理は、トリミング視聴可能な番組での部分映像の切り替え順序がアップキーが操作されたときの順序と逆になる点が異なる。また、選局番組が領域情報を含まない場合、及び、表示中の部分映像に対応する領域情報のＩＤの値が最小値であった場合に、チャンネルの番号が現在選局されているチャンネルの番号の１つ下のチャンネルを選局する点が異なる。それ以外の処理は、アップキーが操作された場合の処理と同様のため、説明を省略する。
【００７２】
本実施例によれば、ユーザがアップダウンキーを操作することにより全体映像及び１つ以上の部分映像が切り替えられて表示装置に出力される。それにより、ユーザは選局するチャンネルを順次切り替える感覚で全体映像や部分映像を視聴することができる。
【００７３】
なお、本実施例では、実施例１のように、ＩＤ順に部分映像が出力される構成としたが、そのような構成でなくてもよい。例えば、出力する映像を部分映像から他の部分映像に
切り替える場合に、実施例２のように領域間の位置関係に基づいて切り替え後の部分映像を決定してもよい。
【００７４】
＜変形例＞
次に、本実施形態に係る映像再生装置の変形例について説明する。まず、領域情報を含む番組を視聴している場合に、領域情報の総数、領域情報毎の名称、または、それら両方を示す領域情報映像を更に表示する例について説明する。図１４は、ＣＨ２で放送されている番組の全体映像が出力されているとき（Ｄ２３）、および、ＣＨ２で放送されている番組の領域２の部分映像が出力されているとき（Ｄ２４）の領域情報映像の一例を示す。領域情報映像は、例えばＧＵＩ（Ｇｒａｐｈｉｃａｌ  Ｕｓｅｒ  Ｉｎｔｅｒｆａｃｅ）などの映像である。
【００７５】
図１４では、符号１４００で示される選局番組の番組名や放送時間に加えて、選局番組の視聴形態が示されている。具体的には、「全体」、「標準（おすすめ）」、「Ａチームファン」、および、「Ｂチームファン」の４種類の映像が視聴可能であることが示されている。図１４の符号１４０１は全体映像が出力されていること、符号１４０２はＡチームファン向けの部分映像が出力されていることを表す領域情報映像を示す。
【００７６】
本変形例では実施例１で述べたように複数の領域情報が、それぞれ、（ユーザが）識別可能な名称（領域名（図６））を含むものとする。そして、例えば、制御部１１４が、それらの領域情報を用いて領域情報映像を作成し、映像出力制御部１０９が、作成された領域情報映像を更に表示装置に出力する。なお、領域情報映像の作成および出力は、図示する他の機能が行ってもよいし、そのような処理を行う機能を新たに追加してもよい。また、領域情報映像において、少なくとも現在出力中の映像に対応する名称は識別可能に示される。例えば、領域情報映像において、出力中の映像に対応する名称はハッチングによる塗りつぶしや太枠表示などして示される。
【００７７】
このように、上記構成によれば、トリミング視聴可能な番組を視聴する場合に、選局番組の番組名や放送時間などに加えて、領域情報の総数、領域情報毎の名称、または、それら両方を示す領域情報映像を出力することができる。それにより、ユーザは視聴中の番組には部分映像がいくつ存在するのかを容易に把握できる。また、領域情報映像に領域情報毎の名称が示されている場合には、ユーザは各部分映像がどのような映像なのかを容易に把握できる。例えば、名称が「Ａチームファン」であれば、ユーザはその部分映像がＡチームファン向けの映像であることを把握できる。更に、領域情報映像において、領域情報毎の名称が示されている場合に、少なくとも現在出力中の部分映像に対応する名称を識別可能に示すことにより、ユーザは視聴している部分映像がどのような映像なのかを容易に把握できる。
【００７８】
次に、複数の領域情報で表される領域の全体映像に対する位置及び解像度を表す領域映像を更に表示装置に出力する例について説明する。図１５は、ＣＨ２で放送されている番組の領域２の部分映像が出力されているとき（Ｄ２４）の、領域映像（ＧＵＩなど）の一例を示す。図１５において符号１５００は、ＣＨ２で切り替え可能な部分映像（領域１〜３の部分映像）の全体映像内での位置及び大きさ（解像度）を表す領域映像を示す。なお、図１５において、領域映像１５００は説明のために大きく示されているが、実際には視聴の邪魔にならない程度の大きさで画面の隅などに表示される。
【００７９】
図１５の例では、現在視聴中の部分映像の領域、アップキーやダウンキーが操作されたときに出力される部分映像の領域は、それぞれ色分けされて表示される。領域映像は、例えば、領域情報（具体的には、解像度、左上Ｘアドレス、左上Ｙアドレス（図６））を用いて制御部１１４が作成し、映像出力制御部１０９が、作成された領域映像を更に表示装
置に出力する。領域映像の作成および出力は、図示する他の機能が行ってもよいし、そのような処理を行う機能を新たに追加してもよい。なお、現在視聴中の領域は、特にユーザに注目させるために、ハイライト表示（ハッチングによる塗りつぶし、太枠表示など）などにより他の領域と区別されていてもよい。
【００８０】
このように、上記構成によれば、トリミング視聴可能な番組を視聴する場合に、複数の領域情報で表される領域の全体映像に対する位置及び解像度を表す領域映像を更に表示装置に出力することができる。それにより、ユーザは視聴中の番組の表示可能な部分映像の数、その部分映像の領域の位置や解像度（大きさ）を容易に把握できる。また、上記構成によれば、領域映像において、少なくとも、現在出力中の映像の領域、及び、次に所定のキーが操作されたときに出力される映像の領域が識別可能に示される。それにより、ユーザは現在出力中の映像の領域、及び、次に所定のキーが操作されたときに出力される映像の領域を容易に把握できる。所定のキーとは、例えば、選局中のチャンネルに対応するワンタッチキーやアップキー、ダウンキーなどである。
【００８１】
以上述べたように、本実施形態に係る映像再生装置（及びその制御方法）によれば、所定のキーを繰り返し操作するという簡単な操作で、表示装置に出力する映像を、全体映像から部分映像へ切り替えることができる。
なお、本実施形態では、アンテナを介して放送波（映像コンテンツ）を取得する構成について説明したが、映像コンテンツはインターネットなどのＩＰネットワーク網を介して取得してもよい。また、ハードディスクや光ディスクなどの各種記録メディアから映像コンテンツを取得してもよい。
【符号の説明】
【００８２】
１０９  映像出力制御部
１１４  制御部
１１７  ユーザ入力部
【図１】
2010226471.tif 000003
【図２】
2010226471.tif 000004
【図３】
2010226471.tif 000005
【図４】
2010226471.tif 000006
【図５】
2010226471.tif 000007
【図６】
2010226471.tif 000008
【図７】
2010226471.tif 000009
【図８】
2010226471.tif 000010
【図９】
2010226471.tif 000011
【図１０】
2010226471.tif 000012
【図１１】
2010226471.tif 000013
【図１２】
2010226471.tif 000014
【図１３】
2010226471.tif 000015
【図１４】
2010226471.tif 000016
【図１５】
2010226471.tif 000017